(57)【要約】      （修正有）【課題】便器のボウル面への汚れを防ぐ、節水式洗い落とし便器の提供。【解決手段】ボウル部３内の汚物を排出するようにボウル部３の底部と連通して延び、ボウル部３の溜水水位を規定する最上端の堰部を備えたトラップ管路５と、リム部に洗浄水を吐水し汚物受け面上に旋回流を形成する第１吐水部１４と、第１吐水部１４よりも下方で汚物受け面に形成され、ボウル部３の溜水に洗浄水を吐水し、ボウル部内の洗浄水を上下に攪拌する流れを形成する第２吐水部１５と、第１吐水部１４に洗浄水を供給する第１通水路１６と、第２吐水部１５に洗浄水を供給する第２通水路１７を有し、トラップ管路５の堰部には、ボウル部３の溜水水位を変更する溜水水位変更手段１を設け、溜水水位変更手段１は、洗浄開始前において、ボウル部３の溜水水位を第２吐水部より高い水位とし、洗浄開始後直後において、ボウル部３の溜水水位を第２吐水部より低い水位とするように制御する。【選択図】図１
2011202400.tif 000002
【特許請求の範囲】
【請求項１】
洗浄水によって便器を洗浄し、汚物を押し流し排出する洗い落し式大便器であって、
ボウル形状の汚物受け面と、その上縁の内壁面が内方に向って張り出しているリム部と、を備えたボウル部と、
このボウル部内の汚物を排出するように上記ボウル部の底部と連通して延び、上記ボウル部の溜水水位を規定する最上端の堰部を備えたトラップ管路と、
上記リム部に形成され、上記リム部に洗浄水を吐水し上記汚物受け面上に旋回流を形成する第１吐水部と、   
この第１吐水部よりも下方で上記汚物受け面に形成され、上記ボウル部の溜水に洗浄水を吐水し、上記ボウル部内の洗浄水を上下に攪拌する流れを形成する第２吐水部と、
上記第１吐水部に洗浄水を供給する第１通水路と、
上記第２吐水部に洗浄水を供給する第２通水路と、を有する洗い落し式大便器において、
上記トラップ管路の上記堰部には、上記ボウル部の溜水水位を変更する溜水水位変更手段が設けられており、
上記溜水水位変更手段は、洗浄開始前において、上記ボウル部の溜水水位を上記第２吐水部より高い水位とし、洗浄開始後直後において、上記ボウル部の溜水水位を上記第２吐水部より低い水位とするように制御されることを特徴とする洗い落し式大便器。
【請求項２】
上記溜水水位変更手段は、上記第２吐水部より洗浄水が吐出される前に、上記ボウル部の溜水水位を上記第２吐水部より低い水位とするように制御されることを特徴とする請求項１に記載の洗い落し式大便器。
【発明の詳細な説明】
【技術分野】
【０００１】
本発明は、洗い落し式大便器に関する。 
【背景技術】
【０００２】
従来から、サイホン作用を生じさせない便器として、洗い落し式便器が知られている。
このような従来の洗い落し式便器は、サイホン作用を生じさせて便器を洗浄するサイホン式便器に比べて、水の落差による流水作用で汚物を押し流す方式で構造がシンプルであり、かつ安価であることに加えて、サイホン作用を生じさせないため、便器洗浄に用いられる洗浄水の量が少なくて済むという利点を有する。したがって、従来から便器に要請されている洗浄水の節水のニーズにも合致したものとなっている。
【０００３】
近年において、便器の洗浄性能を向上させると共に、さらなる洗浄水量の節水化を達成させることが要請されており、ボウル部上に旋回流を形成する第１吐水部とボウル部内の洗浄水を攪拌する流れを形成する第２吐水部とを備えた節水便器が知られている（例えば、特許文献１参照）。このような便器では、洗浄中にボウル部内の溜水を上下に攪拌することによって溜水の水面に浮いていた浮遊汚物が溜水中に沈められ、トラップ管路を通って排出させることで洗浄性能の向上と節水化を同時に達成しており、溜水を上下に攪拌させる必要があることから、第２吐水部を洗浄開始前の溜水水位より上方のボウル部に形成することが必然の構造となっている。
【先行技術文献】
【特許文献】
【０００４】
【特許文献１】特許３９７５４８６号公報
【発明の概要】
【発明が解決しようとする課題】
【０００５】
しかしながら、上述した特許文献１に記載されている第２吐水部の開口を洗浄開始前の溜水水位より上方のボウル部に形成している便器では、排泄時に第２吐水部の開口が空気中に露出しているために、第２吐水部の開口付近に汚物等が付着し易く、第２吐水部の開口に汚物が入り込んで付着した場合は汚物が残存する可能性があるという問題がある。また、洗浄後に、第２吐水口の開口に連通する導水路内に残留した洗浄水が、第２吐水口の開口からボウル部を伝い溜水へ少量づつ流下することにより、第２吐水口の開口付近のボウル部には水垢やカビ等が発生し易くなり、それらが汚れとなって付着する可能性があるという問題がある。
【０００６】
そこで、本発明は、上述した従来技術の問題点を解決するためになされたものであり、便器のボウル面に付着する汚物等による汚れを防止し、さらなる節水化を達成することができる洗い落し式大便器を提供することを目的としている。
【課題を解決するための手段】
【０００７】
上記目的を達成するために、本発明は、洗浄水によって便器を洗浄し、汚物を押し流し排出する洗い落し式大便器であって、ボウル形状の汚物受け面と、その上縁の内壁面が内方に向って張り出しているリム部と、を備えたボウル部と、このボウル部内の汚物を排出するようにボウル部の底部と連通して延び、ボウル部の溜水水位を規定する最上端の堰部を備えたトラップ管路と、リム部に形成され、リム部に洗浄水を吐水し汚物受け面上に旋回流を形成する第１吐水部と、この第１吐水部よりも下方で汚物受け面に形成され、ボウル部の溜水に洗浄水を吐水し、ボウル部内の洗浄水を上下に攪拌する流れを形成する第２吐水部と、第１吐水部に洗浄水を供給する第１通水路と、第２吐水部に洗浄水を供給する第２通水路と、を有する洗い落し式大便器において、トラップ管路の堰部には、ボウル部の溜水水位を変更する溜水水位変更手段が設けられており、溜水水位変更手段は、洗浄開始前において、ボウル部の溜水水位を第２吐水部より高い水位とし、洗浄開始後直後において、ボウル部の溜水水位を第２吐水部より低い水位とするように制御されることを特徴としている。
このように構成された本発明においては、洗浄開始前の汚物排泄時において、第２吐水部はボウル部の溜水中に存在するため、汚物等が付着することがなく、第２吐水部内に汚物が入り込んで汚物が残存することを防止することができる。汚物等が付着し洗浄し難い第２吐水部の汚れを防止することができるため、従来のものと比べさらに少量の洗浄水で洗浄することができるようになりさらなる節水化を達成することができる。また、洗浄開始直後においては、第２吐水部はボウル部の溜水水位より高い空気中に存在するため、第２吐水部から吐出される洗浄水により、ボウル部内の溜水を上下に攪拌することができ、洗浄性能の向上と節水化を同時に達成することができる。
【０００８】
本発明において、好ましくは、溜水水位変更手段は、第２吐水部より洗浄水が吐出される前に、ボウル部の溜水水位を第２吐水部より低い水位とするように制御されることを特徴としている。
このように構成された本発明においては、第２吐水部より洗浄水が吐出される前においては、第２吐水部はボウル部の溜水水位より高い空気中に存在するため、第２吐水部から吐出される洗浄水により、ボウル部内の溜水を上下により攪拌することができ、洗浄性能の向上と節水化を同時に達成することができる。
【発明の効果】
【０００９】
本発明は、上述した従来技術の問題点を解決するためになされたものであり、便器のボウル面に付着する汚物等による汚れを防止し、さらなる節水化を達成することができる洗い落し式大便器を提供することができる。
【図面の簡単な説明】
【００１０】
【図１】洗浄開始前における本発明の洗い落し式大便器の断面図である。
【図２】洗浄開始後、第２吐水部より洗浄水が吐出される前における本発明の洗い落し式大便器の断面図である。
【図３】本発明の洗い落し式大便器におけるシステムブロック図である。
【図４】本発明の洗い落し式大便器における洗浄時のタイミングチャート図である。
【発明を実施するための形態】
【００１１】
図１は、洗浄開始前における本発明の洗い落し式大便器の断面図である。図１を使用して、待機時と排泄時の動作について詳説する。
洗い落し式大便器１０は、使用者が排泄を行うボウル部３に連接されたトラップ管路５によって、溜水が形成されている。また、ボウル部３の側壁には第２吐水部としてのサイドゼット吐水口１５が形成されている。このサイドゼット吐水口１５はボウル部３の封水深５０ｍｍ以上１００ｍｍ未満の高さに形成されており、図示しない給水装置と第２通水路１７を介して連結されている。待機時、トラップ管路５のクラウン１に設置された堰部２は上方に移動しており、溜水４はゼット吐水口１３よりも高い水位（初期溜水水位Ａ）まで上昇している。溜水４は建築基準法施工令で規定された封水深５０ｍｍ以上１００ｍｍ以下という規定を満たしており、排水管路に対する衛生性が確保されている。水位が高くなった状態（初期溜水水位Ａの状態）で、使用者は排泄を行う。このとき溜水４が上昇しており、ボウル部３の汚物受け面１８にある乾燥面の領域が狭くなっている。これにより、ボウル部３の乾燥面に排泄物が付着することを減少させることができる。
【００１２】
溜水４を、洗浄開始前において、ボウル部３の溜水水位をサイドゼット吐水口１５より高い水位（初期溜水水位Ａ）としているため、サイドゼット吐水口１５はボウル部３の溜水中に存在するため、汚物等が付着することがなく、サイドゼット吐水口１５内に汚物が入り込んで汚物が残存することを防止することができている。
【００１３】
図２は、洗浄開始後、第２吐水部より洗浄水が吐出される前における本発明の洗い落し式大便器の断面図である。使用者が便器洗浄操作を行って、具体的に排泄物が排出される動作について詳説する。
使用者の排泄が終わり、使用者が図示しない便器洗浄操作手段を操作すると、同じく図示しない給水装置は、洗い落し式大便器１０のリム部１２に設けてある第１吐水部１４から洗浄水を供給する。洗浄開始直後、堰部２が下降を開始する。堰部２が下降することにより、溜水４がサイドゼット吐水口１５よりも低い水位（Ｂ）まで低下する。その後、図示しない給水装置はサイドゼット吐水口１５へ水を供給する。サイドゼット吐水口１５からの洗浄水は、上下方向の旋廻流を形成して、溜水面付近に浮遊している汚物を、ボウル部３に貯水された水中に攪拌させることが可能であるため、サイドゼット吐水口１５によって形成される上下方向の旋廻流は、汚物を巻き込みながらトラップ管路５に向かって流れる。この効果により、サイホン作用がなくても汚物の排出は充分可能となり、排泄物は上下方向の旋廻流によって攪拌された溜水とともに図示しない建物の配水配管へと排出される。このとき、トラップ管路５の堰部２が下降していることにより、少ない水量であっても排泄物がトラップ管路５のクラウン１を超えて配水配管へと排出される。洗い落とし式便器であるため、溜水全てが排出されることは無く、あくまで排泄物を押し出すために使用される水が洗浄水量であるため、より節水化が可能となる。排出動作が完了すると、堰部２は図１の状態に戻り、待機時の封水深を確保するようになっている。
【００１４】
図３は、本発明の洗い落し式大便器におけるシステムブロック図である。図３を使用して各部の連係動作について詳説する。
市水は、給水装置８を介して洗い落し式大便器１０のボウル部３に供給され、トラップ管路５を介して排水配管１１に導かれるようになっている。使用者が便器洗浄動作を指示する操作手段６を入力とし、溜水水位変更手段である堰部２を上下駆動する堰部駆動手段７と給水装置８は、制御手段９によって動作している。
【００１５】
図４は、本発明の洗い落し式大便器における洗浄時のタイミングチャート図である。図４を使用して使用者の動作に対応した各部の連携動作について詳説する。
洗い落し式大便器１０は、排泄を行うボウル部３に連接されたトラップ管路５によって、溜水４の水位が高くなった状態で待機している。使用者が排泄を行うために洗い落し式大便器１０に座り、排泄を行う。排泄を行うと使用者は操作手段６により洗浄開始操作を行う。その時、操作手段６より制御手段９に信号が送られる。制御手段９は給水装置８に信号を送り、ボウル洗浄が開始される。所定の時間、ボウル部を洗浄した後、汚物排出の動作を行うため、制御手段９から堰部駆動手段７へ信号を送る。制御手段９より信号を受けた堰部駆動手段７は堰部２の下降を開始して汚物を排出させる。所定の時間の後、制御手段９からの信号により堰部駆動手段７は堰部２の上昇を開始する。堰部２の上昇が終了し、溜水４の水位が待機時の水位まで達した状態になった後、制御手段９からの信号により、給水装置８からの洗浄が終了し、洗浄終了となる。
【００１６】
上述の本実施形態では、洗浄水によって便器を洗浄し、汚物を押し流し排出する洗い落し式大便器１０であって、ボウル形状の汚物受け面１８と、その上縁の内壁面が内方に向って張り出しているリム部１２と、を備えたボウル部３と、このボウル部３内の汚物を排出するようにボウル部３の底部と連通して延び、ボウル部３の溜水水位を規定する最上端の堰部２を備えたトラップ管路５と、リム部１２に形成され、リム部１２に洗浄水を吐水し汚物受け面上に旋回流を形成する第１吐水部１４と、この第１吐水部１４よりも下方で汚物受け面１８に形成され、ボウル部３の溜水に洗浄水を吐水し、ボウル部３内の洗浄水を上下に攪拌する流れを形成する第２吐水部１５と、第１吐水部１４に洗浄水を供給する第１通水路１６と、第２吐水部１５に洗浄水を供給する第２通水路１７と、を有する洗い落し式大便器１０において、トラップ管路の堰部２には、ボウル部の溜水水位を変更する溜水水位変更手段が設けられており、溜水水位変更手段は、洗浄開始前において、ボウル部３の溜水水位を第２吐水部１５より高い水位（Ａ）とし、洗浄開始後直後において、ボウル部３の溜水水位を第２吐水部１５より低い水位（Ｂ）とするように制御されることを特徴としている。このように構成された本実施形態においては、洗浄開始前の汚物排泄時において、第２吐水部１５はボウル部３の溜水中に存在するため、汚物等が付着することがなく、第２吐水部１５内に汚物が入り込んで汚物が残存することを防止することができる。汚物等が付着し洗浄し難い第２吐水部１５の汚れを防止することができるため、従来のものと比べさらに少量の洗浄水で洗浄することができるようになりさらなる節水化を達成することができる。また、洗浄開始直後においては、第２吐水部１５はボウル部３の溜水水位より高い空気中に存在するため、第２吐水部１５から吐出される洗浄水により、ボウル部３内の溜水を上下に攪拌することができ、洗浄性能の向上と節水化を同時に達成することができる。
【００１７】
上述の本実施形態では、好ましくは、溜水水位変更手段は、第２吐水部１５より洗浄水が吐出される前に、ボウル部３の溜水水位を第２吐水部１５より低い水位（Ｂ）とするように制御されることを特徴としている。このように構成された本実施形態においては、第２吐水部１５より洗浄水が吐出される前においては、第２吐水部１５はボウル部３の溜水水位より高い空気中に存在するため、第２吐水部１５から吐出される洗浄水により、ボウル部３内の溜水を上下により攪拌することができ、洗浄性能の向上と節水化を同時に達成することができる。
【符号の説明】
【００１８】
１…クラウン
２…堰部
３…ボウル部
４…溜水
５…トラップ管路
６…操作手段
７…堰部駆動手段
８…給水装置
９…制御手段
１０…大便器
１１…排水配管
１２…リム部
１３…ゼット吐水口
１４…第１吐水部
１５…第２吐水部
１６…第１通水路
１７…第２通水路
１８…汚物受け面
Ａ…初期溜水水位
Ｂ…第２吐水部より低い溜水水位
【図１】
2011202400.tif 000003
【図２】
2011202400.tif 000004
【図３】
2011202400.tif 000005
【図４】
2011202400.tif 000006